(57)【要約】【課題】移動するカバー部材との角度差を無くす為に、開き角度を容易に変更できるワイパ保持カバー及び工作機械を提供する。【解決手段】ワイパ保持カバー５０は一対の背板５１，５２、延出部６０、保持部７１，７２を備える。背板５１，５２は工作機械のコラム下部の開口の上縁部に沿って固定する。延出部６０は前方に延出する。背板５１，５２は延出部６０と連結する。保持部７１，７２はワイパ８１，８２を保持する。背板５１，５２は互いに正面視山型形状を形成する。背板５１の左端部５４Ｃと、背板５２の右端部５７Ｃとは頂点９０を形成する。頂点９０は上部に上部隙間９１を備える。上部隙間９１は上方に開く略扇形状である。故に作業者はワイパ保持カバー５０の開き角度を変更できる。【選択図】図２
2013193196.tif 000002
【特許請求の範囲】
【請求項１】
工作機械のベースと、
前記ベース上に設けたコラムと、
前記コラム前面に沿って昇降可能であって工具を装着可能な主軸を回転する主軸機構と、
前記ベース上において前記コラムの前後方向に延設されたガイド部と、
前記ガイド部に沿って移動し、且つワークを支持するテーブルと、
前記テーブルと前記コラム前面との間において前記ガイド部を上方から覆い且つ前記テーブルに追従して移動し前記コラムの前後方向に平行な稜線で折れ曲がるカバー部材と、
前記コラム下部に設け、前記ガイド部に沿って前記テーブルに追従して前記コラム側に移動する前記カバー部材を前記コラム内に収納可能に少なくとも前記コラム前面において開口する収納部と
を備える前記工作機械の前記収納部の前記コラム前面において開口する縁部に沿って固定し、且つ弾性体であって前記カバー部材の少なくとも上面を摺動するワイパを保持可能なワイパ保持カバーにおいて、
前記縁部に沿って固定する板状の固定部と、
前記固定部と接続し前記ワイパを保持する保持部と
を備え、
前記固定部は、前記カバー部材の形状に沿って折れ曲がる第一折曲部を備え、
前記第一折曲部は、上部において離間する上部隙間を備えたことを特徴とするワイパ保持カバー。
【請求項２】
前記固定部の前記開口側に向く端部側に固定し、前記端部から前記コラム前方に延出する板状の延出部を備え、
前記保持部は前記延出部の前端部に設け、
前記延出部は、前記コラムの前後方向に平行な稜線で折れ曲がる前記カバー部材の形状に沿って折れ曲がる第二折曲部を備えたことを特徴とする請求項１に記載のワイパ保持カバー。
【請求項３】
前記固定部は、板状の一対の背板部を備え、
前記一対の背板部は、前記第一折曲部の折れ曲がり形状に対応して傾斜して夫々配置し、
前記第一折曲部は、前記一対の背板の互いに隣り合う一対の端部で形成し、
前記上部隙間は、前記一対の端部同士の間に設けたことを特徴とする請求項１又は２に記載のワイパ保持カバー。
【請求項４】
前記第一折曲部は、前記上部隙間よりも下部において離間する下部隙間を備えたことを特徴とする請求項１から３の何れかに記載のワイパ保持カバー。
【請求項５】
前記第一折曲部は、少なくとも前記延出部の板厚で繋がっていることを特徴とする請求項２に記載のワイパ保持カバー。
【請求項６】
前記カバー部材は、前記コラム前方から見たときの形状が山型の上面を備え、
前記延出部は、前記カバー部材の上面における前記稜線に対応する位置に、前記第二折曲部を備えたことを特徴とする請求項２又は５に記載のワイパ保持カバー。
【請求項７】
請求項１から６の何れかに記載のワイパ保持カバーを備えたことを特徴とする工作機械。
【発明の詳細な説明】
【技術分野】
【０００１】
本発明はワイパ保持カバー及び工作機械に関する。
【背景技術】
【０００２】
工作機械は加工室内の摺動部のシール性を確保する必要がある。接触式のシール方法は、シール性を増す為に例えばシールの押し付け力を強化する。故に、接触摺動抵抗は増加する。接触摺動抵抗の増加は、機械の停止精度に悪影響を与える。停止精度は動作中の機械が停止すべき位置の精度である。シール性と機械停止精度は対立関係にある。
【０００３】
例えば特許文献１が開示する工作機械はテーブルとＹ軸後ろカバーを備える。テーブルはワークを載置可能で且つガイド部に沿って移動可能である。ガイド部は工作機械のコラムの前後方向に延設する。Ｙ軸後ろカバーは、テーブルとコラム前面の間においてガイド部を上方から覆い且つテーブルに追従して移動する。Ｙ軸後ろカバーはコラムの前後方向に平行な稜線で折れ曲がる山型形状である。
【０００４】
コラムは下部においてコラム前面に開口し且つコラム後方に移動するＹ軸後ろカバーを収納する収納部を備える。コラムは収納部の縁部に沿ってワイパ保持カバーを固定する。ワイパ保持カバーはＹ軸後ろカバー上面のコラム前面側の部分を覆う。ワイパ保持カバーはワイパを保持する。ワイパは弾性体である。Ｙ軸後ろカバーが移動すると、ワイパはＹ軸後ろカバー上面を相対的に摺動する。ワイパ保持カバーはＹ軸後ろカバーの形状に沿って折れ曲がる山型形状である。Ｙ軸後ろカバーとワイパ保持カバーは上記摺動部を構成する。
【先行技術文献】
【特許文献】
【０００５】
【特許文献１】特開２００７−６１９５２号公報
【発明の概要】
【発明が解決しようとする課題】
【０００６】
Ｙ軸後ろカバーとワイパ保持カバーの夫々の山型の角度精度はばらつくことがある。双方の角度差が大きいと、Ｙ軸後ろカバーとワイパの間に空間が生じ、シール性の確保が困難となる。作業者は双方のシール性を確保する為にワイパ保持カバーの角度を調整するが、ワイパ保持カバーが一枚の板金で形成されているので容易に角度を調整することができなかった。
【０００７】
本発明の目的は、移動するカバー部材との角度差を無くす為に、開き角度を容易に変更できるワイパ保持カバー及び工作機械を提供することである。
【課題を解決するための手段】
【０００８】
本発明の請求項１に係る発明のワイパ保持カバーは、工作機械のベースと、前記ベース上に設けたコラムと、前記コラム前面に沿って昇降可能であって工具を装着可能な主軸を回転する主軸機構と、前記ベース上において前記コラムの前後方向に延設されたガイド部と、前記ガイド部に沿って移動し、且つワークを支持するテーブルと、前記テーブルと前記コラム前面との間において前記ガイド部を上方から覆い且つ前記テーブルに追従して移動し前記コラムの前後方向に平行な稜線で折れ曲がるカバー部材と、前記コラム下部に設け、前記ガイド部に沿って前記テーブルに追従して前記コラム側に移動する前記カバー部材を前記コラム内に収納可能に少なくとも前記コラム前面において開口する収納部とを備える前記工作機械の前記収納部の前記コラム前面において開口する縁部に沿って固定し、前記収納部から前記コラム前方に突出する前記カバー部材の上面の少なくとも前記コラム前面側の部分を覆い、且つ弾性体であって前記カバー部材の少なくとも上面を摺動するワイパを保持可能なワイパ保持カバーにおいて、前記縁部に沿って固定する板状の固定部と、前記固定部と接続し前記ワイパを保持する保持部とを備え、前記固定部は、前記カバー部材の形状に沿って折れ曲がる第一折曲部を備え、前記第一折曲部は、上部において離間する上部隙間を備える。
【０００９】
請求項１に記載のワイパ保持カバーでは、ワイパはカバー部材の上面に接触する。作業者はワイパ保持カバーをカバー部材の上面形状に合わせる必要がある。固定部は第一折曲部に沿って開き角度を自由に変更可能である。第一折曲部は上部隙間を備えている。故に固定部は第一折曲部において弾性変形可能な程度の剛性にできる。故にワイパ保持カバーは開き角度を容易に変更できる。
【００１０】
請求項２に係る発明のワイパ保持カバーは、請求項１に記載の発明の構成に加え、前記固定部の前記開口側に向く端部側に固定し、前記端部から前記コラム前方に延出する板状の延出部を備え、前記保持部は前記延出部の前端部に設け、前記延出部は、前記コラムの前後方向に平行な稜線で折れ曲がる前記カバー部材の形状に沿って折れ曲がる第二折曲部を備える。故に延出部は収納部からコラム前方に突出するカバー部材上面の少なくともコラム前面側の部分を覆うことができる。ワイパ保持カバーは収納部内に切粉や切削液等の異物が侵入するのを防止できる。
【００１１】
請求項３に係る発明のワイパ保持カバーは、請求項１又は２に記載の発明の構成に加え、前記固定部は、板状の一対の背板部を備え、前記一対の背板部は、前記第一折曲部の折れ曲がり形状に対応して傾斜して夫々配置し、前記第一折曲部は、前記一対の背板の互いに隣り合う一対の端部で形成し、前記上部隙間は、前記一対の端部同士の間に設けている。ワイパ保持カバーは固定部を板状の一対の背板部で構成する。故に上部隙間を容易に形成できる。
【００１２】
請求項４に係る発明のワイパ保持カバーは、請求項１から３の何れかに記載の発明の構成に加え、前記第一折曲部は、前記上部隙間よりも下部において離間する下部隙間を備える。故にワイパ保持カバーは上下方向において開き角度を容易に変更できる。
【００１３】
請求項５に係る発明のワイパ保持カバーは、請求項２に記載の発明の構成に加え、前記第一折曲部は、少なくとも前記延出部の板厚で繋がっている。故にワイパ保持カバーは固定部と延出部との連結性を保持でき且つワイパ保持カバー全体の剛性を保持できる。
【００１４】
請求項６に係る発明の工作機械は、請求項２又は５に記載の発明の構成に加え、前記カバー部材は、前記コラム前方から見たときの形状が山型の上面を備え、前記延出部は、前記カバー部材の上面における前記稜線に対応する位置に、前記第二折曲部を備える。故に山型の上面を備えたカバー部材との角度差を無くす為に、開き角度を容易に変更できる
【００１５】
請求項７に係る発明の工作機械は、請求項１から６の何れかに記載のワイパ保持カバーを備えたことを特徴とする。
【００１６】
請求項７に記載の工作機械では、請求項１から６の何れかに記載のワイパ保持カバーを備えているので、上記請求項１から６の何れかに記載の効果を得ることができる。カバー部材とワイパ保持カバーとのシール性を容易に向上できる。
【図面の簡単な説明】
【００１７】
【図１】工作機械１の斜視図。
【図２】ワイパ保持カバー５０の斜視図。
【図３】ワイパ保持カバー５０の正面図。
【図４】ワイパ保持カバー５０の平面図。
【図５】ワイパ保持カバー５０の底面図。
【図６】ワイパ保持カバー５０の背面図。
【図７】図２の頂点付近９０付近の部分拡大斜視図。
【図８】図６の頂点付近９０付近の部分拡大図。
【発明を実施するための形態】
【００１８】
以下、本発明の一実施形態について、図面を参照して説明する。図１の左斜め下方、右斜め上方、右斜め下方、左斜め上方は、夫々、工作機械１の前方、後方、右方、左方である。工作機械１の左右方向、前後方向、上下方向を、夫々、工作機械１のＸ軸方向、Ｙ軸方向、Ｚ軸方向とする。図１に示す工作機械１はワークと工具の相対移動によりワークを切削する。
【００１９】
図１を参照して、工作機械１の構造について説明する。工作機械１は、基台部２、コラム５、主軸ヘッド７、主軸（図示略）、テーブル１０、自動工具交換装置（以下「ＡＴＣ」と呼ぶ）３０等を備える。
【００２０】
基台部２はＹ軸方向に長い矩形箱状鉄製部材である。基台部２は下部四隅に脚３を夫々備える。基台部２は上面後部に台座部４を備える。台座部４は例えば略直方体状である。
【００２１】
コラム５は台座部４上面に立設する。コラム５は柱状鉄製部材である。コラム５は背面に制御箱９を備える。制御箱９は数値制御部（図示略）を備える。数値制御部は工作機械１の動作を制御する。
【００２２】
コラム５は前面にＺ軸移動機構を備える。Ｚ軸移動機構は主軸ヘッド７をＺ軸方向に移動する。Ｚ軸移動機構は一対のＺ軸レール（図示略）、Ｚ軸ボールネジ（図示略）、Ｚ軸モータ（図示略）等を備える。Ｚ軸レール、Ｚ軸ボールネジはＺ軸方向に延設する。Ｚ軸ボールネジは一対のＺ軸レールの間に配置する。主軸ヘッド７はＺ軸レールに沿って移動可能である。主軸ヘッド７は背面にナット（図示略）を備える。ナットはＺ軸ボールネジに螺合する。Ｚ軸モータがＺ軸ボールネジを回転すると、主軸ヘッド７はＺ軸方向に移動する。Ｚ軸モータは主軸ヘッド７上部後側に固定してある。保護カバー２８は主軸ヘッド７上部後側に固定してある。保護カバー２８はＺ軸モータを覆っている。
【００２３】
コラム５は前面にＺ軸カバー２７及び前面板２６を備える。Ｚ軸カバー２７は主軸ヘッド７と共に上下動する。Ｚ軸カバー２７は例えば一枚の板金である。前面板２６はコラム５前面下側に固定してある。前面板２６はコラム５前面略下半分を覆う。Ｚ軸カバー２７は前面板２６前面に沿って昇降する。故にＺ軸カバー２７は前面板２６と干渉しない。Ｚ軸カバー２７及び前面板２６はＺ軸移動機構内に切粉及び切削液が侵入するのを防止する。
【００２４】
コラム５は前面下部に収納部（図示略）及びワイパ保持カバー５０を備える。収納部はコラム５前面下部において開口する。収納部の上縁部は正面（Ｘ軸方向前側）から見た場合、幅方向中央で折れ曲がる山型形状である。収納部は後述するＹ軸後ろカバー１９をコラム５内に収納する。
【００２５】
ワイパ保持カバー５０は前面板２６を介して収納部の上縁部に沿って固定してある。ワイパ保持カバー５０はコラム５前方に延出する。ワイパ保持カバー５０は後述するＹ軸後ろカバー１９上面の少なくともコラム５前面側の部分を覆う。ワイパ保持カバー５０は下面前端側にワイパ８１，８２（図２参照）を保持する。ワイパ８１，８２はＹ軸後ろカバー１９上面を摺動する。ワイパ保持カバー５０は収納部内に切粉等の異物が侵入するのを防止する。ワイパ保持カバー５０の具体的構造については後述する。
【００２６】
図１を参照して、テーブル１０について説明する。テーブル１０は基台部２上面中央に設けてある。テーブル１０は上面にワークを載置可能である。基台部２は上面中央に移動機構を備える。移動機構はテーブル１０をＸ軸方向及びＹ軸方向に移動する。移動機構はＹ軸移動機構、運搬体１２、及びＸ軸移動機構を備える。Ｙ軸移動機構は基台部２上面に設けてある。Ｙ軸移動機構は運搬体１２をＹ軸方向に移動する。Ｙ軸移動機構は一対のＹ軸レール（図示略）、Ｙ軸ボールネジ（図示略）、Ｙ軸モータ（図示略）を備える。Ｙ軸レール及びＹ軸ボールネジはＹ軸方向に延設する。Ｙ軸ボールネジは一対のＹ軸レールの間に設けてある。運搬体１２はＹ軸レールに沿って移動可能である。運搬体１２は例えば所定厚を有する金属製板部材である。運搬体１２は下面にナット（図示略）を備える。ナットはＹ軸ボールネジに螺合する。Ｙ軸モータはＹ軸ボールネジを回転して、運搬体１２をナットと共にＹ軸方向に移動する。
【００２７】
Ｘ軸移動機構は運搬体１２上面に設けてある。Ｘ軸移動機構はテーブル１０をＸ軸方向に移動する。Ｘ軸移動機構は一対のＸ軸レール（図示略）、Ｘ軸ボールネジ（図示略）、Ｘ軸モータ（図示略）等を備える。Ｘ軸レール、Ｘ軸ボールネジはＸ軸方向に延設する。Ｘ軸ボールネジは一対のＸ軸レールの間に配置する。テーブル１０はＸ軸レールに沿って移動可能である。テーブル１０は下面にナット（図示略）を備える。ナットはＸ軸ボールネジに螺合する。Ｘ軸モータはＸ軸ボールネジを回転して、テーブル１０をナットと共にＸ軸方向に移動する。テーブル１０は運搬体１２を介してＹ軸方向に移動する。即ちテーブル１０はＹ軸移動機構、Ｘ軸移動機構、運搬体１２によりＸ軸方向及びＹ軸方向に移動可能となる。
【００２８】
テーブル１０は右側に保護カバー１６、左側に保護カバー１７を備える。保護カバー１６はテーブル１０右側面から右側において露出するＸ軸移動機構を覆う。保護カバー１７はテーブル１０左側面から左側において露出するＸ軸移動機構を覆う。保護カバー１６，１７はテーブル１０のＸ軸方向への移動に追従して伸縮する。
【００２９】
運搬体１２は前側にＹ軸前カバー１８，背面側にＹ軸後ろカバー１９を備える。Ｙ軸前カバー１８は運搬体１２（テーブル１０）のＹ軸方向への移動に追従して伸縮する。Ｙ軸後ろカバー１９は断面山型に折り曲げた一枚の板金で形成してある。Ｙ軸後ろカバー１９の山型形状は、コラム５前面下部に設けた収納部の上縁部形状に対応する。Ｙ軸後ろカバー１９は運搬体１２（テーブル１０）と共にＹ軸方向に移動する。Ｙ軸後ろカバー１９はコラム５側に移動する。コラム５の収納部はＹ軸後ろカバー１９を収納する。
【００３０】
図１を参照して、ＡＴＣ３０について説明する。ＡＴＣ３０は主軸ヘッド７前方に支持してある。ＡＴＣ３０は工具マガジン３１、複数の把持部３２、マガジンモータ３３等を備える。工具マガジン３１は連結部３５，３６を介してコラム５前面に支持してある。把持部３２は工具マガジン３１外周に沿って列設する。把持部３２は工具Ｔを把持可能である。工具マガジン３１の最下部に位置する把持部３２の位置は工具交換位置である。ＡＴＣ３０は工具交換位置にある把持部３２が把持する工具Ｔを主軸に装着してある工具Ｔと交換する。
【００３１】
図２〜図６を参照して、ワイパ保持カバー５０の構造について説明する。ワイパ保持カバー５０は、一対の背板５１，５２、延出部６０、保持部７１，７２、ワイパ８１，８２等を備える。
【００３２】
一対の背板５１，５２について説明する。図２〜図４の如く、背板５１はワイパ保持カバー５０の右側、背板５２は左側に位置する。背板５１，５２は一枚の金属板を折り曲げて形成してある。
【００３３】
背板５１は固定部５４と連結部５５を備える。固定部５４はコラム５に設けた収納部の上縁部に沿って固定する部分である。図２，図３の如く、固定部５４は縦方向部５４Ａと傾斜部５４Ｂとを備える。縦方向部５４Ａは正面視右側において上下方向に延出する。傾斜部５４Ｂは縦方向部５４Ａの上端部から左斜め上方に傾斜して延出する。固定部５４は傾斜部５４Ｂに沿って二つの固定穴５６を備える。固定穴５６はビス（図示略）でコラム５前面に留める為の穴である。固定穴５６は上下方向に長い長孔である。固定部５４の左端部５４Ｃは、後述する背板５２の右端部５７Ｃと互いに隣接する。連結部５５は傾斜部５４Ｂの下端部から前方に延出する。連結部５５は平面視横長長方形状である。
【００３４】
図２〜図４の如く、背板５２は背板５１と左右対称形状である。背板５２は固定部５７と連結部５８を備える。固定部５７はコラム５に設けた収納部の上縁部に沿って固定する部分である。固定部５７は縦方向部５７Ａと傾斜部５７Ｂを備える。縦方向部５７Ａは正面視左側において上下方向に延出する。傾斜部５７Ｂは縦方向部５７Ａの上端部から右斜め上方に傾斜して延出する。固定部５７は傾斜部５７Ｂに沿って二つの固定穴５９を備える。連結部５８は傾斜部５７Ｂの下端部から前方に延出する。連結部５８は平面視横長長方形状である。
【００３５】
固定穴５９はビス（図示略）でコラム５前面に留める為の穴である。固定穴５９は上下方向に長い長孔である。連結部５５，５８は延出部６０と連結する部分である。
【００３６】
延出部６０について説明する。図２〜図４の如く、延出部６０は一枚の金属板を三箇所で折り曲げて形成してある。延出部６０は正面視山型形状である。延出部６０は稜線６１〜６３を備える。稜線６１は延出部６０の幅方向中央部に位置する。稜線６２は延出部６０の幅方向右側に位置する。稜線６３は延出部６０の幅方向左側に位置する。延出部６０は正面視右側から左側に向かって順に第一〜第四延出部６５〜６８を備える。
【００３７】
第一延出部６５と第二延出部６６は稜線６２で折曲して連結する。第二延出部６６と第三延出部６７は稜線６１で折曲して連結する。第三延出部６７と第四延出部６８は稜線６３で折曲して連結する。第一延出部６５と第四延出部６８は上下方向に立設する。第二延出部６６は正面視右側から中央に向かって斜め上方に傾斜する。第三延出部６７は正面視左側から中央に向かって斜め上方に傾斜する。背板５１の連結部５５上面は第二延出部６６下面と溶接により連結する。背板５２の連結部５８上面は第三延出部６７下面と溶接により連結する。
【００３８】
保持部７１，７２について説明する。図２，図５の如く、保持部７１は第一延出部６５と第二延出部６６の各下面前端側に沿って設けてある。保持部７１は複数のネジ孔（図示略）を備える。作業者はワイパ８１を取り付ける為のビス８５（図７参照）をネジ孔に締結する。保持部７２は第三延出部６７と第四延出部６８の各下面前端側に沿って設けてある。保持部７２は複数のネジ孔（図示略）を備える。作業者はワイパ８２を取り付ける為のビス８５をネジ孔に締結する。ワイパ８１，８２は例えば帯状である。ワイパ８１，８２の材質の一例はゴム及び樹脂等である
【００３９】
図６〜図８を参照して、上部隙間９１及び下部隙間９２について説明する。一対の背板５１，５２は互いに正面視山型形状を形成する。背板５１の左端部５４Ｃと、背板５２の右端部５７Ｃとは頂点９０を形成する。頂点９０は上部に上部隙間９１、下部に下部隙間９２を形成する。
【００４０】
上部隙間９１は上方に開く略扇形状である。背面図である図８の如く、左端部５４Ｃは例えば鉛直方向に対して右側（図８の左側）に５°傾いている。右端部５７Ｃは例えば鉛直方向に対して左側（図８の右側）に５°傾いている。故に上部隙間９１は１０°の開き角度を有する。尚上部隙間９１の開き角度は一例である。
【００４１】
下部隙間９２は下方に開く略扇形状である。図８の如く、下部隙間９２はテーパ部５４Ｄとテーパ部５７Ｄで形成してある。テーパ部５４Ｄは左端部５４Ｃの下部に設けてある。テーパ部５７Ｄは右端部５７Ｃの下部に設けてある。テーパ部５４Ｄは例えば鉛直方向に対して右側（図８の左側）に３５°傾いている。テーパ部５７Ｄは例えば鉛直方向に対して左側（図８の右側）に３５°傾いている。故に下部隙間９２は７０°の開き角度を有する。尚下部隙間９２の開き角度は一例である。
【００４２】
図７，図８の如く、近接部９５は上部隙間９１と下部隙間９２の間に位置する。近接部９５は左端部５４Ｃと右端部５７Ｃが最も近接する部分である。背板５１，５２は近接部９５において延出部６０の板厚で少なくとも連結する。故にワイパ保持カバー５０は、頂点９０において背板５１と背板５２が離間していても全体の剛性を保持できる。
【００４３】
図３，図７，図８を参照して、ワイパ保持カバー５０の開き角度の調整について説明する。ワイパ保持カバー５０の下側における開き角度を大きくする場合、作業者は背板５１の右端側を、近接部９５を中心に上方に回動する（図３中Ａ１方向）。作業者は背板５２の左端側を、近接部９５を中心に上方に回動する（図３中Ａ２方向）。上部隙間９１は狭くなり、下部隙間９２は広くなる。
【００４４】
ワイパ保持カバー５０の下側における開き角度を小さくする場合、作業者は背板５１の右端側を、近接部９５を中心に下方に回動する（図３中Ｂ１方向）。作業者は背板５２の左端側を、近接部９５を中心に下方に回動する（図３中Ｂ２方向）。下部隙間９２は狭くなり、上部隙間９１は広くなる。左端部５４Ｃと右端部５７Ｃは互いに干渉しない。
延出部６０は背板５１，５２の開き角度に合わせて稜線６１（図７参照）で折れ曲がる。故に作業者はワイパ保持カバー５０の開き角度を容易に調整できる。
【００４５】
ワイパ保持カバー５０の開き角度の調整は、例えばコラム５前面に仮固定した状態で行うとよい。作業者はワイパ保持カバー５０の背板５１，５２に設けた固定穴５６，５９にビスを緩めた状態でコラム５前面に仮固定する。作業者はワイパ保持カバー５０のワイパ８１，８２がＹ軸後ろカバー１９の上面に均等に密着するように、ワイパ保持カバー５０の開き角度を調節する。固定穴５６，５９は上下方向に長い長孔である。故にワイパ保持カバー５０はコラム５前面に仮固定した状態で開き角度を所定範囲内で変更できる。作業者は開き角度を決定した状態でビスを締め、ワイパ保持カバー５０を固定する。故に作業者はワイパ保持カバー５０の取付作業を迅速かつ効率良く行うことができる。
【００４６】
以上説明において、図１に示す主軸ヘッド７は本発明の主軸機構の一例である。テーブル１０のＹ軸移動機構は本発明のガイド部の一例である。Ｙ軸後ろカバー１９は本発明のカバー部材の一例である。一対の背板５１，５２は本発明の固定部の一例である。図７に示す頂点９０は第一折曲部の一例である。延出部６０の稜線６１は本発明の第二折曲部の一例である。
【００４７】
以上説明したように、本実施形態の工作機械１はＹ軸後ろカバー１９及びワイパ保持カバー５０を備える。Ｙ軸後ろカバー１９はテーブル１０と共にコラム５との間をＹ軸方向に移動する。Ｙ軸後ろカバー１９は山型形状である。Ｙ軸後ろカバー１９はテーブル１０のＹ軸移動機構を覆う。ワイパ保持カバー５０はコラム５の収納部の上縁部に沿って固定してある。収納部はコラム５前面下部に設けた開口である。ワイパ保持カバー５０はコラム５前方に延出する。ワイパ保持カバー５０は収納部からコラム５前方に突出するＹ軸後ろカバー１９上面の少なくともコラム５前面側の部分を覆う。ワイパ保持カバー５０は下面前端側にワイパ８１，８２（図２参照）を保持する。ワイパ８１，８２はＹ軸後ろカバー１９上面を摺動する。ワイパ保持カバー５０は収納部内に切粉等の異物が侵入するのを防止する。
【００４８】
ワイパ保持カバー５０は一対の背板５１，５２、延出部６０、保持部７１，７２等を備える。背板５１，５２はコラム５の収納部の上縁部に沿って固定する部分である。延出部６０は前方に延出する部分である。背板５１，５２は延出部６０と連結する。保持部７１，７２は延出部６０下面前端側に設けてある。保持部７１，７２はワイパ８１，８２を保持する。
【００４９】
背板５１，５２は互いに正面視山型形状を形成する。背板５１の左端部５４Ｃと、背板５２の右端部５７Ｃとは頂点９０を形成する。頂点９０は上部に上部隙間９１を備える。上部隙間９１は上方に開く略扇形状である。作業者はワイパ保持カバー５０の下側における開き角度を大きくすることができる。故に作業者は、ワイパ保持カバー５０の開き角度を調節することにより、ワイパ８１，８２をＹ軸後ろカバー１９の上面に均等に密着することができる。
【００５０】
上記実施形態は特に、頂点９０は下部に下部隙間９２を備える。下部隙間９２は下方に開く略扇形状である。故に作業者はワイパ保持カバー５０の下側における開き角度を小さくできる。故に作業者はワイパ保持カバー５０の開き角度を自由に調節できるので作業効率が向上する。
【００５１】
上記実施形態は特に、頂点９０は少なくとも延出部６０の板厚で繋がっている。故にワイパ保持カバー５０全体の剛性を確保できる。
【００５２】
上記実施形態は特に、Ｙ軸後ろカバー１９は山型の上面を備える。延出部６０はＹ軸後ろカバー１９の上面における稜線に対応する位置に稜線６１を備えた山型形状である。故に、ワイパ保持カバー５０をＹ軸後ろカバー１９の上面形状に沿わせることができる。
【００５３】
尚本発明は上記実施形態に限らず、様々な変形が可能である。上記実施形態のワイパ保持カバー５０は頂点９０に上部隙間９１と下部隙間９２を備えているが、下部隙間９２は無くてもよい。
【００５４】
上記実施形態では、一対の背板５１，５２で本発明の固定部を構成し、それらは頂点９０において互いに離間しているが、繋がっていてもよい。例えば下部隙間９２を無くし、双方を接続してもよい。その場合に固定部は少なくとも上部隙間を備えるので、頂点９０において弾性変形可能な程度の剛性にできる。故にワイパ保持カバーの開き角度を容易に変更できる。本発明の固定部は一枚の金属板で形成してもよい。
【００５５】
上記実施形態では、ワイパ保持カバー５０は、背板５１，５２と保持部７１，７２の間に延出部６０を介在する。例えば延出部６０を省略したワイパ保持カバーにも本発明は適用可能である。例えば背板部の下部に保持部を設けるとよい。保持部に保持したワイパはＹ軸後ろカバー１９の上面に接触できる。
【００５６】
また上記実施形態では、Ｙ軸後ろカバー１９及びワイパ保持カバー５０は稜線を三つ備える正面視山型形状であったが、例えば三つ以上の稜線で折れ曲がる多角形状でもよく、二つの稜線で折れ曲がる四角形状であってもよい。少なくとも一つの稜線で折れ曲がるものであればよい。
【００５７】
上部隙間９１と下部隙間９２にシール部材、例えばゴムシート等を設けてもよい。
【符号の説明】
【００５８】
１  工作機械
２  基台部
５  コラム
７  主軸ヘッド
１０  テーブル
１９  Ｙ軸後ろカバー
５０  ワイパ保持カバー
５１，５２  背板
６０  延出部
６１  稜線
７１，７２  保持部
８１，８２  ワイパ
９０  頂点
９１  上部隙間
９２  下部隙間
【図１】
2013193196.tif 000003
【図２】
2013193196.tif 000004
【図３】
2013193196.tif 000005
【図４】
2013193196.tif 000006
【図５】
2013193196.tif 000007
【図６】
2013193196.tif 000008
【図７】
2013193196.tif 000009
【図８】
2013193196.tif 000010